(57)【要約】【課題】測定対象が特定されていない多数の被測定物までの測距を、正確に行うことが可能な測距システムおよびその測距方法を提供する。【解決手段】被監視者が携帯する無線タグ２０と、無線タグ２０までの距離を測定する測距装置３０とを測距システム１０において、測距装置３０は、無線タグ２０に、応答要求通知をブロードキャストにより送信し、応答要求通知に対する返信通知を受信すると、返信通知を送信した無線タグ２０のアドレスを指定して測距要求通知を送信し、測距要求通知を送信してから測距要求通知に対する測距応答通知を受信するまでの時間を計測することで、距離を算出する。無線タグ２０は、応答要求通知を受信すると、無線タグ２０ごとに設定された異なる時間が経過した後に、割り当てられたＩＤ情報をアドレスとして含めて返信通知を送信し、測距要求通知にて指定されたアドレスが、自アドレスであるときには、測距応答通知を送信する。【選択図】図１
2008232907.tif 000002
【特許請求の範囲】
【請求項１】
移動体までの距離を測定する測距装置と、前記移動体に設けられ、前記測距装置と無線信号により通信する１以上の無線タグとを備えた測距システムにおいて、
前記測距装置は、
前記１以上の無線タグに、応答要求通知をブロードキャストにより送信する応答要求手段と、
前記応答要求通知に対する返信通知を受信すると、前記返信通知を送信した無線タグのアドレスを指定して、測距要求通知を送信する測距要求手段と、
前記測距要求通知を送信してから前記測距要求通知に対する測距応答通知を受信するまでの時間を計測するタイマ手段と、
前記タイマ手段により計測された時間から距離を算出する距離算出手段とを備え、
前記無線タグは、
前記応答要求通知を受信すると、無線タグごとに設定された異なる時間が経過した後に、割り当てられたアドレスを含めた前記返信通知を送信する応答返信手段と、
前記測距要求通知にて指定されたアドレスが、自アドレスであるときには、前記測距応答通知を送信する測距応答手段とを備えたことを特徴とする測距システム。
【請求項２】
前記無線タグの応答返信手段は、前記無線タグごとに設定された異なる時間を、他の無線タグを識別するために予め割り当てられた識別情報に応じた時間とすることを特徴とする請求項１記載の測距システム。
【請求項３】
前記無線タグは、乱数を発生する乱数発生手段を備え、
前記応答返信手段は、前記返信通知を送信して、所定時間内に前記測距装置からの測距要求通知が無いときには、前記乱数発生手段により発生させた乱数に応じて遅延した後に、返信通知を送信することを特徴とする請求項１または２記載の測距システム。
【請求項４】
前記無線タグとの無線信号を送受信する無指向性のアンテナを備えた測距装置が３以上設けられ、
前記３以上設けられた測距装置が設置された位置情報が登録された記憶手段と、前記位置情報および前記３以上設けられた測距装置からの無線タグまでの距離を示す距離情報から無線タグの位置を特定する位置特定手段とを備えた位置検出装置が設けられていることを特徴とする請求項１から３のいずれかの項に記載の測距システム。
【請求項５】
前記無線タグとの無線信号を送受信する指向性を有するアンテナと、前記アンテナを水平回転させると共に、前記アンテナの回転角度情報を検出して出力する回転駆動制御手段とを備えた測距装置が１以上設けられ、
前記１以上設けられた測距装置が設置された位置情報が登録された記憶手段と、前記位置情報と前記１以上設けられた測距装置からの無線タグまでの距離を示す距離情報と前記回転角度情報とから、無線タグの位置を特定する位置特定手段とを備えた位置検出装置が設けられていることを特徴とする請求項１から３のいずれかの項に記載の測距システム。
【請求項６】
移動体までの距離を測定する測距装置と、前記移動体に設けられる１以上の無線タグとを備えた測距システムの測距方法において、
前記測距装置が、ブロードキャストにより、応答要求通知を前記１以上の無線タグへ送信する応答要求ステップと、
前記測距装置が、前記応答要求通知に対する無線タグからの返信通知を受信待機する待機ステップと、
前記応答要求通知を受信した無線タグが、無線タグごとに設定された異なる時間が経過した後に、割り当てられたアドレスを含めた返信通知を前記測距装置へ送信し、前記測距装置からの測距要求通知を受信待機する応答返信ステップと、
前記測距装置が、前記返信通知を受信すると、当該返信通知を送信した無線タグのアドレスを指定して、前記測距要求通知を送信する測距要求ステップと、
前記測距要求通知にてアドレスを指定された無線タグが、前記測距要求通知に対する測距応答通知を送信する測距応答ステップと、
前記測距装置が、前記測距要求通知を送信してから前記測距応答通知を受信するまでの時間を計測して距離を算出する距離算出ステップとを含むことを特徴とする測距システムの測距方法。
【請求項７】
前記測距装置が、前記距離算出ステップの後、前記測距装置に設定された測距時間が経過するまで、前記待機ステップから前記距離算出ステップまでを繰り返し、
前記応答返信ステップにて、前記無線タグが、所定時間内に前記測距装置からの測距要求通知が受信できない場合、所定時間経過後に返信通知を再送することを特徴とする請求項６記載の測距システムの測距方法。
【請求項８】
前記測距装置は、前記距離算出ステップの後、前記測距装置に設定された測距時間が経過すると、前記応答要求ステップへ移行して、ブロードキャストによる応答要求通知を送信することを特徴とする請求項６または７記載の測距システムの測距方法。
【発明の詳細な説明】
【技術分野】
【０００１】
本発明は、移動体に設けられる無線タグと、無線タグへ無線信号を送信した時間からその応答を受信したまでの時間により無線タグまでの距離を測定する測距装置とを備えた測距システムおよびその測定方法に関する。
【背景技術】
【０００２】
測距システムは、被測定物である移動体に設けられる無線タグと、距離を測定する測距装置との間で、無線信号を往復させて、往復に要する時間から、測距装置から無線タグまでを測距するものである。このような無線信号が往復に要する時間から測距する従来の測距システムとして特許文献１，２に記載されたものがある。
【０００３】
特許文献１に記載の位置検出システムは、質問器が無線タグへ送信したパルス波を、無線タグが広帯域アンテナで受信し、無線タグから送信されるパルス波により質問器が無線タグまでの距離と無線タグの識別を行うものである。この無線タグから送信されるパルス波は、広帯域アンテナ自体で直接反射したパルス波と、それぞれの無線タグで構成の異なる負荷インピーダンス部に反射して広帯域アンテナから送信されるパルス波とがある。質問器は、最初に送信される広帯域アンテナ自体で直接反射したパルス波により質問器が無線タグまでの距離を測定し、次に送信される負荷インピーダンス部に反射して広帯域アンテナから送信されるパルス波により無線タグを識別している。
【０００４】
また、特許文献２に記載された測距システムは、距離を測定するアクセス端末が、距離測定を開始する旨を示す開始信号を、指定した送受信端末に無線信号として放射することで、指定された受信端末を動作可能状態とし、それ以外の受信端末を動作禁止状態とし、次に、アクセス端末が、放射した要求信号に対して返信された応答信号を受信するまでの時間を計測することで、アクセス端末と受信端末との間を測距するものである。アクセス端末は、測距する対象となる送受信端末を指定するときには、開始信号に、対象となる送受信端末のアドレスを含めることで、送受信端末を特定している。
【０００５】
【特許文献１】特開２００５−３１８５５３号公報
【特許文献２】特開２００６−１４５２２２号公報
【発明の開示】
【発明が解決しようとする課題】
【０００６】
しかし、特許文献１に記載の位置検出システムでは、広帯域アンテナ自体で反射したパルス波に基づいて測距しているので、複数の無線タグが質問器からのパルス波を受信可能な範囲に位置していると、無線タグからのパルス波が混在してしまい正確な距離が測定できないおそれがある。
【０００７】
また、特許文献２に記載の測距システムでは、測距装置であるアクセス端末が、測距する場合に、予め送受信端末へ、開始信号にアドレスを含めて対象の送受信端末を指定して送信する必要があるので、アクセス端末側で、測定対象となる送受信端末のアドレスが事前にわかっていれば問題はないが、測定対象が特定されていない多数の送受信端末を測距する際には問題となる。
【０００８】
例えば、アクセス端末からの無線信号が到達可能な範囲内に、どのアドレスの送受信端末が、移動体である人や荷物に取り付けられて進入したり、退出したりしているのかが不明な場合には、おそらくアドレスを順番に変更しながら測距することになるものと想定される。また、数多くの送受信端末までの距離を、それぞれの送受信端末を識別して測定しようとすると、割り当て可能なアドレスを数多くする必要がある。従って、数多くの被測定物までの距離を測定しようとすると、数多いアドレスを順番に、応答のある無しに関わらず無線信号を送信していくことになるため、特許文献２に記載の測距システムは、測定対象が特定されていない多数の被測定物までの距離を測定する場合には不向きと思われる。
【０００９】
そこで、本発明は、測定対象が特定されていない多数の被測定物までの距離の測定を、正確に行うことが可能な測距システムおよびその測距方法を提供することを目的とする。
【課題を解決するための手段】
【００１０】
本発明の測距システムは、移動体までの距離を測定する測距装置と、前記移動体に設けられ、前記測距装置と無線信号により通信する１以上の無線タグとを備えた測距システムにおいて、前記測距装置は、前記１以上の無線タグに、応答要求通知をブロードキャストにより送信する応答要求手段と、前記応答要求通知に対する返信通知を受信すると、前記返信通知を送信した無線タグのアドレスを指定して、測距要求通知を送信する測距要求手段と、前記測距要求通知を送信してから前記測距要求通知に対する測距応答通知を受信するまでの時間を計測するタイマ手段と、前記タイマ手段により計測された時間から距離を算出する距離算出手段とを備え、前記無線タグは、前記応答要求通知を受信すると、無線タグごとに設定された異なる時間が経過した後に、割り当てられたアドレスを含めた前記返信通知を送信する応答返信手段と、前記測距要求通知にて指定されたアドレスが、自アドレスであるときには、前記測距応答通知を送信する測距応答手段とを備えたことを特徴とする。
【００１１】
また、本発明の測距システムの測距方法は、移動体までの距離を測定する測距装置と、前記移動体に設けられる１以上の無線タグとを備えた測距システムの測距方法において、前記測距装置が、ブロードキャストにより、応答要求通知を前記１以上の無線タグへ送信する応答要求ステップと、前記測距装置が、前記応答要求通知に対する無線タグからの返信通知を受信待機する待機ステップと、前記応答要求通知を受信した無線タグが、無線タグごとに設定された異なる時間が経過した後に、割り当てられたアドレスを含めた返信通知を前記測距装置へ送信し、前記測距装置からの測距要求通知を受信待機する応答返信ステップと、前記測距装置が、前記返信通知を受信すると、当該返信通知を送信した無線タグのアドレスを指定して、前記測距要求通知を送信する測距要求ステップと、前記測距要求通知にてアドレスを指定された無線タグが、前記測距要求通知に対する測距応答通知を送信する測距応答ステップと、前記測距装置が、前記測距要求通知を送信してから前記測距応答通知を受信するまでの時間を計測して距離を算出する距離算出ステップとを含むことを特徴とする。
【００１２】
本発明の測距システムは、それぞれの移動体に設けられる無線タグと、無線タグと通信して、往復の時間を計測することで移動体までの距離を算出する測距装置とを備えている。測距装置は、無線タグと通信するときには、まず、測距装置の応答要求手段が、ブロードキャストにより、応答要求通知を１以上の無線タグ全部に対して送信して、無線タグからの返信通知を受信待機する。無線タグの応答返信手段は、応答要求通知を受信すると、無線タグごとに設定された異なる時間が経過するまで待機する。そして、無線タグの応答返信手段は、割り当てられたアドレスを含めた返信通知を、測距装置へ送信する。従って、それぞれの無線タグからの返信通知は、重複しないタイミングで送信されるので、返信通知は、確実に無線タグから測距装置へ到達する。そして、この返信通知には、無線タグに割り当てられたアドレスが含まれているので、測距装置からの無線信号が到達可能な範囲に位置する無線タグを特定することができる。測距装置の測距要求手段は、返信通知を受信すると、当該返信通知を送信した測距の対象となる無線タグのアドレスを指定して、測距要求通知を送信する。測距要求通知にてアドレスを指定された無線タグは、測距応答手段により、この測距要求通知に対応して測距応答通知を送信する。測距装置の距離算出手段は、測距要求通知を送信してから測距応答通知を受信するまでの時間を計測して距離を算出する。
【００１３】
前記無線タグの応答返信手段は、前記無線タグごとに設定された異なる時間を、他の無線タグを識別するために予め割り当てられた識別情報に応じた時間とすることが望ましい。
【００１４】
無線タグが、返信通知の送信を、他の無線タグを識別するために予め割り当てられた識別情報に応じた時間が経過した後に行うことで、他の無線タグから送信される返信通知による阻害を確実に防止することができる。
【００１５】
前記無線タグは、乱数を発生する乱数発生手段を備え、前記応答返信手段は、前記返信通知を送信して、所定時間内に前記測距装置からの測距要求通知が無いときには、前記乱数発生手段により発生させた乱数に応じて遅延した後に、返信通知を送信することが望ましい。所定時間内に測距装置からの測距要求通知が無い場合に、乱数発生手段により発生させた乱数に応じて返信通知を遅延させることで、再度、無線タグが返信通知を送信する際に、返信応答同士が衝突してしまうことを回避することができる。
【００１６】
前記無線タグとの無線信号を送受信する無指向性のアンテナを備えた測距装置が３以上設けられ、前記３以上設けられた測距装置が設置された位置情報が登録された記憶手段と、前記位置情報および前記３以上設けられた測距装置からの無線タグまでの距離を示す距離情報から無線タグの位置を特定する位置特定手段とを備えた位置検出装置が設けられていると、無線タグまでの距離だけでなく、無線タグの位置を検出することができる。
【００１７】
また、前記無線タグとの無線信号を送受信する指向性を有するアンテナと、前記アンテナを水平回転させると共に、前記アンテナの回転角度情報を検出して出力する回転駆動制御手段とを備えた測距装置が１以上設けられ、前記１以上設けられた測距装置が設置された位置情報が登録された記憶手段と、前記位置情報と前記１以上設けられた測距装置からの無線タグまでの距離を示す距離情報と前記回転角度情報とから、無線タグの位置を特定する位置特定手段とを備えた位置検出装置が設けられていると、測距装置が少なくとも１台あれば、無線タグまでの距離だけでなく、無線タグの位置を検出することができる。
【００１８】
前記測距装置が、前記距離算出ステップの後、前記測距装置に設定された測距時間が経過するまで、前記待機ステップから前記距離算出ステップまでを繰り返し、前記応答返信ステップにて、前記無線タグが、所定時間内に前記測距装置からの測距要求通知を受信できない場合、所定時間経過後に返信通知を再送することが望ましい。
測距装置がブロードキャストにより応答要求通知を送信して無線タグとの通信を開始して、最初の無線タグとの測距が完了する距離算出ステップの後に、測距装置に設定された測距時間が経過するまで、待機ステップから距離算出ステップまでを繰り返す。無線タグは、応答返信ステップにて、測距装置からの測距要求通知が、所定時間内に受信できなければ、更に所定時間が経過した後に返信通知を再送するリトライ処理を行う。このように、無線タグが、ブロードキャストによる応答要求通知を受信して返信通知を送信した後に測距要求通知が無ければ、リトライを行うことで、測距装置からの無線信号が到達可能な範囲に位置するそれぞれの無線タグに対して、測距装置は、順番に無線タグとの測距を行うことができる。
【００１９】
前記測距装置は、前記距離算出ステップの後、前記測距装置に設定された測距時間が経過すると、前記応答要求ステップへ移行して、ブロードキャストによる応答要求通知を送信することが望ましい。
測距装置は、設定された測距時間が経過すると、距離算出ステップの後は、応答要求ステップへ移行して、ブロードキャストによる応答要求通知を送信するようにすることで、測距装置は、１度測距を行った無線タグに対しても、再度、測距することができるので、移動体の移動方向や移動距離などを測定することができる。
【発明の効果】
【００２０】
本発明の測距システムおよびその測距方法は、移動体に設けられた無線タグまでの距離を測定する測距装置が、ブロードキャストで送信した応答要求通知に応答して、無線タグが返信通知を送信するときに、無線タグごとに設定された異なる時間が経過した後に、割り当てられたアドレスを含めた返信通知を、前記測距装置へ送信するので、測距装置からの無線信号が到達可能な範囲に数多い無線タグが位置していても、無線タグからの信号が干渉しあったり、阻害しあったりすることがない。従って、測定対象が特定されていない多数の被測定物までの測距を、正確に行うことが可能である。
【発明を実施するための最良の形態】
【００２１】
本発明の実施の形態１に係る測距システムを、図面に基づいて説明する。図１は、本発明の実施の形態１に係る測距システム全体を示す図である。
【００２２】
図１に示すように、測距システム１０は、ＵＷＢ（Ultra Wide Band）と呼ばれる無線信号により、部屋Ｒ内を移動する被監視者までの距離を測定することで、被監視者の位置を正確に検出するものである。
【００２３】
測距システム１０は、例えば、病院やリハビリ施設などの部屋Ｒに設置される。測距システム１０は、患者や要介護者などの移動体が携帯する無線タグ２０（２０ａ〜２０ｃ）と、部屋Ｒに設けられた３台の測距装置３０とＬＡＮケーブルＬにて接続された位置検出装置４０とを備えている。なお、図１においては、ハブなどの集線装置は図示していない。
【００２４】
次に、無線タグ２０について、図２に基づいて説明する。図２は、図１に示す測距システムの無線タグの構成を示す図である。
図２に示すように、無線タグ２０は、無線通信手段２１と、ＩＤ記憶手段２２と、乱数発生手段２３と、応答返信手段２４と、測距応答手段２５と、タイマ手段２６とを備えている。
【００２５】
無線通信手段２１は、無指向性のアンテナＡ１を備え、受信した無線信号を復調してデータとして出力すると共に、入力したデータを変調して無線信号として出力するものである。無線通信手段２１から送信される無線信号は、被監視者が部屋Ｒ内のどこにいても測距装置３０にて受信可能なように、部屋Ｒ内全体に到達可能な程度の信号強度でアンテナＡ１から送信される。
【００２６】
ＩＤ記憶手段２２は、他の無線タグ２０および測距装置３０と識別するために、それぞれに割り当てられた識別情報であるＩＤ情報を記憶するもので、不揮発性メモリ、設定スイッチ、ジャンパ線などとすることができる。
【００２７】
乱数発生手段２３は、応答返信手段２４からの指示により、所定のアルゴリズムを用いて乱数を発生して、乱数情報として応答返信手段２４へ出力する機能を備えている。
【００２８】
応答返信手段２４は、測距装置３０からのブロードキャスト通知である応答要求通知に基づいて、無線通信手段２１を介して返信通知を測距装置３０へ送信する機能を備えている。この返信通知には、送信元アドレスとして、ＩＤ記憶手段２２から読み出したＩＤ情報が格納され、送信先アドレスとして測距装置３０のＩＤ情報が格納される。
【００２９】
測距応答手段２５は、測距装置３０からの選択的な呼び出し通知である測距要求通知に基づいて、測距装置３０へ測距応答通知を、無線通信手段２１を介して送信する機能を備えている。タイマ手段２６は、時間計測をする時計である。
【００３０】
次に、測距装置３０を、図３に基づいて説明する。図３は、図１に示す測距システムの測距装置の構成を示す図である。
図３に示すように、測距装置３０は、無線通信手段３１と、有線通信手段３２と、ＩＤ記憶手段３３と、応答要求手段３４と、測距要求手段３５と、距離算出手段３６と、タイマ手段３７とを備えている。
【００３１】
無線通信手段３１は、無指向性のアンテナＡ２を備え、受信した無線信号を復調してデータとして出力すると共に、入力したデータを変調して無線信号として出力するものである。無線通信手段３１から送信される無線信号は、部屋Ｒ内全てに到達可能な程度の信号強度でアンテナＡ２から送信される。それぞれの測距装置３０から送信される無線信号が、部屋Ｒ内全てに到達可能とすることで、無線タグ２０が部屋Ｒ内のどこにいても、無線タグ２０までの距離を測定することが可能である。
【００３２】
有線通信手段３２は、位置検出装置４０とＬＡＮケーブルＬを介して通信するＬＡＮインタフェース手段である。有線通信手段３２は、位置検出装置４０と通信できれば、ＵＳＢなどの他の通信方式とすることができる。また、測距装置３０と位置検出装置４０との間の送受信を無線通信とすることも可能である。
【００３３】
ＩＤ記憶手段３３は、他の測距装置３０および無線タグ２０と識別するために、それぞれに割り当てられた識別情報であるＩＤ情報を記憶するもので、無線タグ２０と同様に、不揮発性メモリ、設定スイッチ、ジャンパ線などとすることができる。
【００３４】
応答要求手段３４は、ブロードキャストにて、応答要求通知を、無線通信手段３１を介して複数回送信する機能を備えている。この応答要求通知は、送信元アドレスとして、ＩＤ記憶手段３３から読み出したＩＤ情報が格納され、送信先アドレスとして無線タグ２０を指定せずに送信される。
【００３５】
測距要求手段３５は、無線タグ２０からの返信通知に基づいて、測距要求通知を、無線通信手段３１を介して無線タグ２０へ複数回送信する機能を備えている。
【００３６】
距離算出手段３６は、測距要求手段３５が測距要求通知を送信してから無線タグ２０からの測距応答通知を受信するまでの時間を、タイマ手段３７にて計測することで、測距装置３０から無線タグ２０までの距離を算出して、距離情報として位置検出装置４０へ出力する機能を備えている。タイマ手段３７は、時間計測をする時計である。
【００３７】
次に、位置検出装置４０について、図４に基づいて説明する。図４は、図１に示す測距システムの位置検出装置の構成を示す図である。
位置検出装置４０は、有線通信手段４１と、位置特定手段４２と、画面制御手段４３と、記憶手段４４と、登録手段４５と、表示手段４６と、入力手段４７とを備え、例えば、パーソナルコンピュータに位置検出プログラムを動作させることで実現することができる。
【００３８】
位置特定手段４２は、３台の測距装置３０からの距離情報と、記憶手段４４に登録された３台の測距装置３０の位置情報とから、三点測位法にて無線タグ２０の位置を特定する機能を備えている。三点測位法とは、３台の測距装置３０が設置されたそれぞれの位置を中心とし、３台の測距装置３０が測定したそれぞれの無線タグ２０ａ〜２０ｃまでの距離を半径として描かれる円同士の交点を、無線タグ２０の現在いる位置として算出する方法である。
【００３９】
画面制御手段４３は、位置特定手段４２により特定された被監視者が携帯する無線タグ２０の位置を表示手段４６へ表示する機能を備えている。
【００４０】
記憶手段４４は、３台の測距装置３０の位置情報の他に、無線タグ２０を携帯する被監視者の識別情報と無線タグ２０のＩＤ情報とが関連付けられて登録されている。この記憶手段４４は、ハードディスク装置とすることができ、位置検出プログラムがインストールされている。被監視者を識別する識別情報は、それぞれの被監視者を識別可能な情報であれば採用できるが、例えば、氏名情報とすることができる。
【００４１】
登録手段４５は、被監視者が入力手段４７を操作して入力した、測距装置３０の位置情報と、被監視者が携帯する無線タグ２０のＩＤ情報と、被監視者の氏名情報とを関連付けて記憶手段４４に登録する機能を備えている。
【００４２】
表示手段４６は、画面制御手段４３からのデータを表示するモニタである。この表示手段４６は、ＬＣＤやＣＲＴなどが使用できる。入力手段４７は、文字情報、数字情報、制御キー情報や記号情報を入力するキーボードと、表示手段４６を見ながら操作するためのマウスなどのポインティングデバイスとすることができる。
【００４３】
以上のように構成された測距システム１０の動作および使用状態について、更に、図５を参照しながら詳細に説明する。図５は、図１に示す測距システムの動作および使用状態を説明するためのタイミングチャートである。なお、本実施の形態１では、部屋Ｒ内に無線タグ２０ａ〜２０ｃをそれぞれ携帯した３人の被監視者がいるものとして説明する。
【００４４】
図５に示すように、まず、測距装置３０が、ブロードキャストにより応答要求通知ＢＲを送信する（応答要求ステップ）。この応答要求通知ＢＲは、最初の応答要求通知ＢＲを送信してからブロードキャスト送信時間ＴBRが経過するまで、応答要求手段３４により送信し続けられる。無線タグ２０ａ〜２０ｃは、最初の応答要求通知ＢＲを受信してブロードキャスト送信時間ＴBRが経過するまで、応答返信手段２４による応答要求通知ＢＲの受信待ちを継続する。このブロードキャスト送信時間ＴBRは、測距装置３０および無線タグ２０ａ〜２０ｃに、予め規定された共通した時間である。
【００４５】
測距装置３０が、応答要求通知ＢＲを、送信先アドレスを指定しないブロードキャストで送信することで、どの無線タグ２０が部屋Ｒ内に位置しているか特定されていないときでも、無線タグ２０とのリンクの確立を行うことができる。
【００４６】
複数回送信される応答要求通知ＢＲのうち、一の応答要求通知ＢＲを受信した無線タグ２０ａ〜２０ｃは、ブロードキャスト送信時間ＴBRが経過するまでタイマ手段２６により時間を計測して待機状態となる。測距装置３０は、ブロードキャスト送信時間ＴBRが経過すると、無線タグ２０ａ〜２０ｃからの返信通知ＲＥＳを待つ待機状態となる（待機ステップ）。
【００４７】
無線タグ２０ａ〜２０ｃは、ブロードキャスト送信時間ＴBRが経過するまで待った後に、更に、自アドレスであるＩＤ情報に基づいて返信通知待ち時間ＴIDをタイマ手段２６により時間を計測して待ってから、返信通知ＲＥＳを送信する（応答返信ステップ）。無線タグ２０ａ〜２０ｃにはそれぞれ異なるＩＤ情報が割り当てられているので、返信通知待ち時間ＴIDは無線タグ２０ａ〜２０ｃで異なる時間となる。例えば、ＩＤ情報が「１」ずつ増加するごとに、返信通知待ち時間ＴIDを所定時間ずつ増やすようにすることができる。
【００４８】
図５においては、ＩＤ情報に基づいて返信通知待ち時間ＴIDを待った結果、無線タグ２０ａが最も短い時間の遅延であったため、無線タグ２０ａが送信した返信通知ＲＥＳが、最も早く測距装置３０へ到達している。つまり、ＩＤ情報に基づいた返信通知待ち時間ＴIDが最も短い無線タグ２０が、測距装置３０が測距可能な範囲内にいるときには、必ず測距装置３０へ最も早く返信通知ＲＥＳを送信することになる。そして、無線タグ２０ｂ，２０ｃは、無線タグ２０ａより遅れて返信通知ＲＥＳすることになる。
【００４９】
このように、無線タグ２０ａ〜２０ｃごとに設定されたそれぞれ異なる時間が経過した後に返信通知ＲＥＳを送信することで、ブロードキャスト送信時間ＴBRが経過した後に、一斉に返信通知ＲＥＳが送信されることで衝突して、個々の無線タグ２０と測距装置３０とのリンクが確立できなくなることを確実に防止することができる。
【００５０】
次に、測距装置３０は、無線タグ２０ａからの返信通知ＲＥＳを受信すると、無線タグ２０ａまでの測距を開始する。この測距は、まず、測距要求手段３５が、この返信通知ＲＥＳを送信した送信元アドレスを指定して（この場合は無線タグ２０ａのＩＤ情報）、測距要求通知ＲＥＱを送信する（測距要求ステップ）。次に、測距要求通知ＲＥＱにて指定された無線タグ２０ａは、測距応答手段２５により測距応答通知ＡＮＳを送信する（測距応答ステップ）。
【００５１】
測距装置３０からの測距要求通知ＲＥＱと無線タグ２０ａからの測距応答通知ＡＮＳとの通信は、複数回行われる。測距のための通信を１回としてもよいが、通信障害が発生したときには距離が測定できない事態となってしまうため、複数回、例えば１０回以上とするのが望ましい。
【００５２】
測距装置３０の距離算出手段３６は、測距要求通知ＲＥＱの送信から測距応答通知ＡＮＳの受信までの時間を、タイマ手段３７に計測させることで、通信のパケットが往復に要する時間を計測する。この計測された往復時間には、測距要求通知ＲＥＱを受信してから測距応答通知ＡＮＳを送信するまでの無線タグ２０の処理時間が含まれているので、距離算出手段３６は、この計測時間から予め測定して設定しておいた処理時間の差を算出することで、無線信号が無線タグ２０ａまでの空中を伝搬するのに要した正確な時間を算出することができる。そして、距離算出手段３６は、１秒当たりの無線信号の伝搬速度と、無線タグ２０ａまでの空中を無線信号が伝搬するのに要した時間から、測距装置３０と無線タグ２０ａとの間の距離を算出する（距離算出ステップ）。距離算出手段３６は、無線タグ２０ａのＩＤ情報と共に算出した距離を示す距離情報を、有線通信手段３２を介して位置検出装置４０へ出力する。測距装置３０は、測距が完了すると、次の無線タグ２０（２０ｂ，２０ｃ）からの返信通知ＲＥＳの受信待ち状態となる（待機ステップ）。
【００５３】
このようにして測距装置３０は、まず１台目の無線タグ２０ａまでの距離を測定する。次に、測距装置３０は、２台目の無線タグ２０ｂの測定を行う。２台目の無線タグ２０ｂは、無線タグ２０ａ，２０ｃからの返信通知ＲＥＳの衝突を回避するために、無線タグ２０ａより遅く返信通知ＲＥＳを送信したので、測距装置３０は、先に無線タグ２０ａまでの測距を始めた。従って、無線タグ２０ｂは、返信通知ＲＥＳを送信してから受信待ち時間ＴRXが経過するまでに、測距装置３０から、無線タグ２０ｂのＩＤ情報をアドレスとして指定しての測距要求通知ＲＥＱを受信することができなかった。この場合、無線タグ２０ｂの応答返信手段２４は、送信待ち時間ＴTXが経過するまで待った後に、更に、乱数発生手段２３が発生した乱数に基づいた送信待ち時間ＴRNDを待って、再度、返信通知ＲＥＳを送信する。３台目である無線タグ２０ｃも同様に、応答返信手段２４が、送信待ち時間ＴTXが経過するまで待った後に、更に、乱数発生手段２３が発生した乱数に基づいた送信待ち時間ＴRNDを待って、再度、返信通知ＲＥＳを送信する。
【００５４】
この送信待ち時間ＴTXは、無線タグ２０ａ〜２０ｃで同じ時間に設定されているが、送信待ち時間ＴRNDは、乱数により決定されるので異なる時間である。また、１回目の返信通知ＲＥＳを送信するときの返信通知待ち時間ＴIDは、それぞれの無線タグ２０ａ〜２０ｃで異なる時間なので、結果として２回目に送信される返信通知ＲＥＳは、無線タグ２０ｂと無線タグ２０ｃとで衝突する確率は非常に小さくなる。
【００５５】
図５においては、無線タグ２０ｃより先に無線タグ２０ｂが返信通知ＲＥＳを送信しているので、測距装置３０は、無線タグ２０ｂに対して測距要求通知ＲＥＱを送信している。
測距装置３０からの測距要求通知ＲＥＱを受信した無線タグ２０ｂは、測距応答通知ＡＮＳを送信することで、測距装置３０は、無線タグ２０ａを測距したときと同様に、無線タグ２０ｂまでの距離を測定する。
【００５６】
そして、無線タグ２０ｃは、２回目の返信通知ＲＥＳを送信したが、受信待ち時間ＴRXが経過するまでに測距装置３０からの測距要求通知ＲＥＱが無かったので、再度、送信待ち時間ＴTXが経過するまで待った後に、更に、乱数発生手段２３が発生した乱数に基づいた送信待ち時間ＴRNDを待って、３回目の返信通知ＲＥＳを送信する。
【００５７】
このように、無線タグ２０（２０ａ〜２０ｃ）は、測距装置３０からの測距要求通知ＲＥＱが受信されるまで、繰り返し返信通知ＲＥＳを送信することで、測距装置３０は測距対象の無線タグ２０（２０ａ〜２０ｃ）の全てを測距することができる。
【００５８】
無線タグ２０ａ〜２０ｃは、測距装置３０との間で、測距要求通知ＲＥＱと測距応答通知ＡＮＳとの送受信が完了すると、次のブロードキャストで送信される応答要求通知ＢＲの受信待ち状態となる。
【００５９】
測距装置３０は、ブロードキャスト送信時間ＴBRが経過した後の測距時間ＴSKが経過すると、再度、ブロードキャスト送信時間ＴBRの計測を開始して、応答要求通知ＢＲをブロードキャストにて送信する。このようにして、測距装置３０は、ブロードキャスト送信時間ＴBR内に、ブロードキャストによる応答要求通知ＢＲを送信し、測距時間ＴSK内に、それぞれの無線タグ２０ａ〜２０ｃとの通信を行って測距することを繰り返すことで、１度測距を行った無線タグ２０ａ〜２０ｃに対しても、再度、測距することができる。
【００６０】
３台の測距装置３０からＩＤ情報と距離情報とを受信した位置検出装置４０は、無線タグ２０ａ〜２０ｃの位置を、画面制御手段４３により表示手段４６に表示する。無線タグ２０ａ〜２０ｃの位置は、位置特定手段４２が三点測位法に基づいて特定する。特定された位置は、部屋Ｒのレイアウト上に、ＩＤ情報に関連付けられた氏名情報が表示された場所で示される。氏名情報を表示することで、監視者は被監視者が誰であるのかが視認しやすい。また、逐次送信される測距装置３０からの距離情報に基づいて、画面制御手段４３が表示手段４６に軌跡を描くことで移動した範囲や、距離などを把握することが可能である。
このように、ブロードキャストにより測定対象が特定されていない多数の無線タグ２０であっても、通信開始の通知を送信することができ、また、無線タグ２０ａ〜２０ｃのＩＤ情報に基づいた遅延で、返信通知ＲＥＳを送信しているので、無線タグ２０ａ〜２０ｃからの信号が干渉しあったり、阻害しあったりすることがない。また、無線タグ２０ａ〜２０ｃ側から返信通知ＲＥＳに基づいて測距装置３０が測距を開始するので、多くの無線タグ２０が測定対象であっても、順番に漏れなく測距を行うことができる。よって、測定対象が特定されていない多数の被測定物までの測距を、正確に行うことが可能である。
【００６１】
（実施の形態２）
次に、本発明の実施の形態２について、図面に基づいて説明する。図６は、本発明の実施の形態２に係る測距システムを示す図である。図７は、図６に示す測距システムの測距装置を示す図である。
【００６２】
図６に示すように、本発明の実施の形態２に係る測距システム１０ｘは、測距装置３０ｘを、部屋Ｒの天井の中央部に１台のみ備えたものである。
図７に示すように、測距装置３０ｘは、無線通信手段３１ｘに指向性を有するアンテナＡ３が設けられている。このアンテナＡ３は、回転駆動制御手段３８により水平回転させられている。そして、回転駆動制御手段３８は、アンテナＡ３の回転角度情報を検出して、有線通信手段３２を介して位置検出装置４０へ出力する機能を備えている。
指向性を有するアンテナＡ３は、狭ビームアンテナを使用することできる。
【００６３】
位置検出装置４０では、位置特定手段４２（図４参照）により、無線タグ２０ａ〜２０ｃの位置を、測距装置３０からの距離情報と回転角度情報とから特定する。つまり、実施の形態１に係る測距システム１０では、三点測位法により位置を特定することで、測距装置３０が少なくとも３台必要であった。実施の形態２に係る測距システム１０ｘでは、回転角度情報と距離情報とを得ることで、測距装置３０ｘが１台あれば、無線タグ２０ａ〜２０ｃを携帯する被監視者の位置を特定することが可能である。
【００６４】
以上、本発明の実施の形態について説明してきたが、本発明は前記実施の形態に限定されるものではない。本実施の形態１においては、位置検出装置４０が三点測位法により無線タグ２０ａ〜２０ｃの位置を特定しているため、３台の測距装置３０によりそれぞれ測距を行っている。しかし、４台以上の測距装置３０が部屋Ｒ内に設置されていても問題はない。また、部屋Ｒが広かったり、障害物により無線信号の伝搬が阻害されたりして、無線信号が部屋Ｒ全体に到達できない場合には、測距装置３０からの無線信号の少なくとも３台分がそれぞれ重なるように、測距装置３０を４台以上配置することで、部屋Ｒ内全体をカバーすることができる。
【００６５】
また、実施の形態２においては、位置検出装置４０が測距装置３０ｘからの距離情報と回転角度情報とにより、無線タグ２０ａ〜２０ｃの位置を特定しているため、１台の測距装置３０で測距を行っている。しかし、２台以上の測距装置３０ｘが部屋Ｒ内に設置されていても問題はない。また、上述したように、部屋Ｒが広かったり、障害物により無線信号の伝搬が阻害されたりして、無線信号が部屋Ｒ全体に到達できない場合には、２台以上の測距装置３０ｘを、無線信号が部屋Ｒ全体に到達可能なように配置することで、部屋Ｒ内全体をカバーすることできる。
【産業上の利用可能性】
【００６６】
本発明は、数多くの無線タグが、測距装置が測距可能な範囲に進入したり退出したりしても、正確に無線タグまでの距離を測定することができるので、教室、病室、図書館やデパートなど、様々な場所において設置される測距システムおよびその測定方法に好適である。
【図面の簡単な説明】
【００６７】
【図１】本発明の実施の形態１に係る測距システム全体を示す図である。
【図２】図１に示す測距システムの無線タグの構成を示す図である。
【図３】図１に示す測距システムの測距装置の構成を示す図である。
【図４】図１に示す測距システムの位置検出装置の構成を示す図である。
【図５】図１に示す測距システムの動作および使用状態を説明するためのタイミングチャートである。
【図６】本発明の実施の形態２に係る測距システムを示す図である。
【図７】図６に示す測距システムの測距装置を示す図である。
【符号の説明】
【００６８】
１０，１０ｘ  測距システム
２０，２０ａ，２０ｂ，２０ｃ  無線タグ
２１  無線通信手段
２２  ＩＤ記憶手段
２３  乱数発生手段
２４  応答返信手段
２５  測距応答手段
２６  タイマ手段
３０，３０ｘ  測距装置
３１，３１ｘ  無線通信手段
３２  有線通信手段
３３  ＩＤ記憶手段
３４  応答要求手段
３５  測距要求手段
３６  距離算出手段
３７  タイマ手段
３８  回転駆動制御手段
４０  位置検出装置
４１  有線通信手段
４２  位置特定手段
４３  画面制御手段
４４  記憶手段
４５  登録手段
４６  表示手段
４７  入力手段
Ａ１〜Ａ３  アンテナ
Ｌ  ＬＡＮケーブル
Ｒ  部屋
【図１】
2008232907.tif 000003
【図２】
2008232907.tif 000004
【図３】
2008232907.tif 000005
【図４】
2008232907.tif 000006
【図５】
2008232907.tif 000007
【図６】
2008232907.tif 000008
【図７】
2008232907.tif 000009